(57)【要約】【課題】長さが異なる照明具を着脱可能に取り付けられる照明器具、および、この照明器具を備えた照明装置を提供する。【解決手段】本発明に係る照明器具２００は、光源を備えた照明具１００を取り付けることができる照明具取付部２３０と、照明具１００が光源取付部２１１に取り付けられた状態で照明具取付部２３０よりも照明具１００から光が照射される照明空間側に配置される遮蔽部２２０ｃとを備えており、寸法が異なる照明具を着脱可能に取り付けることができるので、寸法が異なる照明具に対応して照明器具を個別に設計する必要がなくなる。【選択図】図１
2017183159.tif 000002
【特許請求の範囲】
【請求項１】
光源を備えた照明具を取り付けることができる照明具取付部と、
前記照明具が前記光源取付部に取り付けられた状態で前記照明具取付部よりも前記照明具から光が照射される照明空間側に配置される遮蔽部と、
を備えた照明器具。
【請求項２】
光を照射する照明具が取り付けられる照明器具であり、
前記照明具を取り付けることができる照明具取付部と、
前記照明具取付部よりも前記光が照射される側に配置される遮蔽部と、
を備えた照明器具。
【請求項３】
前記遮蔽部は、
前記照明具取付部を覆うように取り付けられた請求項１、２のいずれかに記載の照明器具。
【請求項４】
前記遮蔽部は、
前記照明具取付部を覆うように前記照明具とともに取り付けられた請求項１〜３のいずれかに記載の照明器具。
【請求項５】
前記遮蔽部は、
少なくともその一部が取り外すことができる請求項１〜４のいずれかに記載の照明器具。
【請求項６】
前記遮蔽部は、
少なくともその一部が着脱自在に取り付けることができる請求項１〜５のいずれかに記載の照明器具。
【請求項７】
光を照射する照明具と、
前記照明具を取り付けることができる照明具取付部、および前記照明具取付け部よりも前記光が照射される側に配置された遮蔽部とを有する照明器具と、
を備えた照明装置。
【発明の詳細な説明】
【技術分野】
【０００１】
本発明は、発光素子が実装された光源ユニットと、この光源ユニットを取り付けるための器具本体とを有する照明装置に関する。
【背景技術】
【０００２】
従来、発光モジュールおよび直流電源装置を内蔵する長尺状の光源部と、この光源部（本発明の光源ユニットに相当）の一部が挿入される凹部を有する器具本体部（本発明の照明器具に相当）とを備える照明器具（本発明の照明装置に相当）であって、光源部が器具本体部に着脱自在に取り付けられる照明器具がある（例えば、特許文献１を参照）。
【先行技術文献】
【特許文献】
【０００３】
【特許文献１】特開２０１４−０７８５１１号公報
【発明の概要】
【発明が解決しようとする課題】
【０００４】
しかしながら、長さが異なる光源部を器具本体部に着脱可能に取り付けられる照明器具ではない。
【０００５】
本発明は、この課題を解決するためになされ、その目的は、長さが異なる照明具を着脱可能に取り付けられる照明器具、および、この照明器具を備えた照明装置を提供することである。
【課題を解決するための手段】
【０００６】
本発明の一態様に係る照明器具は、光源を備えた照明具を取り付けることができる照明具取付部と、照明具が光源取付部に取り付けられた状態で照明具取付部よりも照明具から
光が照射される照明空間側に配置される遮蔽部とを備えている。
【発明の効果】
【０００７】
この発明によれば、照明器具は、光源を備えた照明具を取り付けることができる照明具取付部と、照明具が光源取付部に取り付けられた状態で照明具取付部よりも照明具から
光が照射される照明空間側に配置される遮蔽部とを備えているので、長さが異なる照明具を着脱可能に取り付けることができる。
【図面の簡単な説明】
【０００８】
【図１】実施の形態１に係る照明装置１０の斜視図である。
【図２】実施の形態１に係る照明装置１０の内部を示す図で、図１のＡ−Ａ断面図である。
【図３】実施の形態１に係る照明装置１０の分解斜視図である。
【図４】実施の形態１に係る光源ユニット１００の斜視図である。
【図５】実施の形態１に係る光源ユニット１００の５面図である。
【図６】実施の形態１に係る光源ユニット１００の端部を示す拡大斜視図である。
【図７】実施の形態１に係る光源ユニット１００の端部を示す拡大上面図である。
【図８】実施の形態１に係る照明器具２００の５面図である。
【図９】実施の形態１に係る照明器具２００の端部を示す拡大斜視図である。
【図１０】実施の形態１に係る照明装置１０の効果を説明する正面図である。
【発明を実施するための形態】
【０００９】
以下、本発明の実施の形態について、図面を用いて説明する。以下に説明する実施の形態によって本発明が限定されない。また、以下の図面では各構成部の大きさの関係が実際のものとは異なる場合がある。また、実施の形態の説明において、「上」、「下」、「左」、「右」、「前」、「後」、「表」、「裏」といった方向や位置が示されている場合、それらの表記は、説明の便宜上、そのように記載しているだけであって、装置、器具、部品等の配置や向き等を限定しない。なお、以下の説明では、天井面等のように照明器具を取り付ける取付部３００の方向を取付方向あるいは上方とし、光源の照射方向を下方として説明する。
【００１０】
実施の形態１．
＜＜構成の説明＞＞
図１から図９を用いて、本実施の形態に係る照明装置１０の構成について説明する。
図１は、実施の形態１に係る照明装置１０の斜視図である。
図２は、実施の形態１に係る照明装置１０の内部構成を示す図で、図１のＡ−Ａ断面図である。
図３は、実施の形態１に係る照明装置１０の分解斜視図である。
図４は、実施の形態１に係る光源ユニット１００の斜視図である。
図５は、実施の形態１に係る光源ユニット１００の５面図である。
図６は、実施の形態１に係る光源ユニット１００の端部を示す拡大斜視図である。
図７は、実施の形態１に係る光源ユニット１００の端部を示す拡大上面図である。
図８は、実施の形態１に係る照明器具２００の５上面図である。
図９は、実施の形態１に係る照明器具２００の端部を示す拡大斜視図である。
【００１１】
＜照明装置１０＞
図１に示すように、本実施の形態に係る照明装置１０は、天井や壁といった取付部３００に取り付けられる長形の照明装置である。照明装置１０は、光源ユニット１００と、光源ユニット１００が着脱可能に取り付けられる照明器具２００とを有する。ここで、光源ユニット１００は、照明具、灯具とも称する。
【００１２】
図２及び図３に示すように、光源ユニット１００は、光源が実装されたＬＥＤモジュール１２０と、光源モジュールが配置された基台であるフレーム部１１０とを有している。光源ユニット１００は、フレーム部１１０の平面部１１２を照明器具２００の収容凹部２１１の底面部２１１ａに対向させて凹部２１１に直脱自在に取り付けられる。光源ユニット１００は、カバー側部１３１を開口縁部２１１ｃに対向させて収容凹部２１１に取り付けられる。このとき、カバー側部１３１と開口縁部２１１ｃとの間に隙間１９０が形成される。隙間部１９０は、照明器具２００とカバー１３０との長手方向の境界部分に形成される。
【００１３】
光源ユニット１００の長手方向の端部であるユニット端部２６０は、収容凹部２１１の長手方向の端部に配置される蓋部２２０ｂと当接する。照明装置１０において、ユニット端部２６０と蓋部２２０ｂとが当接する部分を当接部１９１とする。当接部１９１において、ユニット端部２６０の上面が蓋部２２０ｂと接している。
また、隙間部１９０は、光源ユニット１００の長尺の側部と照明器具２００の開口縁部２１１ｃとが接触することなく、隙間が延在している。すなわち、隙間部１９０は、光源ユニット１００の両側の側部にスリット状に存在する。
【００１４】
＜光源ユニット１００＞
光源ユニット１００は、フレーム部１１０、ＬＥＤモジュール１２０、カバー１３０、電源装置１４０、２つの取付具１５０を有する。
フレーム部１１０は、長手方向に延びた板状であり、発光素子１２０ａが実装された基板１２０ｂが取り付けられる平面部１１２を有する基台である。フレーム部１１０は、金属材料を用いて形成されている。フレーム部１１０は、プレス成型によって形成されている。なお、フレーム部１１０は、押出成型など他の方法を用いて形成されてもよい。
フレーム部１１０は、長尺状の平板である平面部１１２と、この平面部１１２の短手方向端部であり折り曲げられて形成されるフレーム側部１１１とを有し、短手方向に切る断面が略コ字形状である。フレーム側部１１１は、光源ユニット１００が照明器具２００に取り付けられた状態で、照明器具２００の収容凹部２１１の底面部２１１ａに向かって立ち上がる立設部１１１ｂを備える。フレーム部１１０は、モジュールフレーム、プレートとも称する。
【００１５】
平面部１１２の一面側である基板取付面部１１２ａには、ＬＥＤである発光素子１２０ａが実装され、発光素子１２０ａに点灯電力を供給する配線パターン１２０ｃ（不図示）が敷設された基板１２０ｂを備えたＬＥＤモジュール１２０が取り付けられる。
本実施の形態では、１枚の基板１２０ｂからなる１つのＬＥＤモジュール１２０が取り付けられているものとする。また、基板取付面部１１１ａの裏面である装置取付面部１１１ｄには、ＬＥＤモジュール１２０に点灯電力を供給する電源装置１４０と、２つの取付具１５０とが取り付けられる。
【００１６】
光源ユニット１００の基板１２０ｂは、リジットタイプでもフレキシブルタイプでもよい。また、光源ユニット１００の発光素子１２０ａは、ＬＥＤに限らず、ＬＥＤ以外の発光素子、具体的には、有機ＥＬあるいはレーザといった発光素子を用いてもよい。
【００１７】
図４に示すように、電源装置１４０は、平面部１１１の長手方向中央より一方側に寄せて取り付けられている。なお、電源装置１４０は、平面部１１１の長手方向中央に取り付けられていても構わない。
２つの取付具１５０は、平面部１１１の長手方向の両端側にそれぞれ取り付けられている。取付具１５０は、後述する照明器具２００が備えるバネ２３０と係合し、光源ユニット１００を照明器具２００に固定する。
【００１８】
カバー１３０は、長尺のカバー前面部１３２、このカバー前面部１３２の両側部の長手方向に渡って立設させたカバー側部１３１を有する。そして、カバー１３０は、長手方向の両端部に長手方向を遮蔽するように固定されたカバー端部１３３を備える。
図５、図６に示すように、長手方向の両端部において、カバー１３０はカバー端部１３３の厚み寸法分だけフレーム部１１０よりも長手方向に張り出している。
【００１９】
光源ユニット１００が照明器具２００に取り付けられた状態で、カバー端部１３３は照明器具２００の収容凹部２１１には収納されない。詳しくは、当接部である上面が収容凹部２１１の蓋部２２０ｂと当接して収納が規制される。
【００２０】
ここで、図２に示すように、カバー１３０は、基板１２０ｂを覆う。また、カバー１３０は、長手方向に延びたカバー側部１３１を有する。カバー１３０は、カバー側部１３１がフレーム部１１０の短手方向の端部であるフレーム側部１１１を覆ってフレーム部１１０に取り付けられる。
カバー１３０は、フレーム部１１０に取り付けられたＬＥＤモジュール１２０を覆うようにフレーム部１１０に取り付けられる。フレーム側部１１１の湾曲部１１１ｄにはカバー１３０の取付側の端部であるカバー係合部１３１１が係合され、カバー１３０がフレーム部１１０に固定される。
【００２１】
光源ユニット１００が照明器具２００に取り付けられた状態で、フレーム側部１１１の湾曲部１１１ｄとカバー係合部１３１１とは、照明器具２００の収容凹部２１１には収納される。
【００２２】
図５に示すように、電源装置１４０には、第１電線５００ｃが接続される。第１電線５００ｃは、先端部にコネクタ５０１が接続されたハーネスである。第１電線５００ｃが後述する端子台２４０に接続されたハーネス５００ｄと接続されることにより、電源装置１４０は端子台２４０から電力の供給を受けることができる。
また、電源装置１４０には、電力をＬＥＤモジュール１２０に供給するための第２電線５００ｅが接続される。第２電線５００ｅは、電源装置１４０からフレーム部１１０の長手方向端部を介してＬＥＤモジュール１２０まで接続される。
なお、第１電線５００ｃと第２電線５００ｅとは、電線保持部材１６０、第２電線クランプ１７０、第１電線クランプ１８０を用いてフレーム部１１０に保持される。
【００２３】
＜照明器具２００＞
照明器具２００は、器具本体２１０と、器具本体２１０の両端部に取り付けられる端板部２２０とを備える。
【００２４】
器具本体２１０は、板金が折り曲げられて形成される。器具本体２１０は、コの字状に折り曲げられて形成され、長手方向に延びた収容凹部２１１を備える。
収容凹部２１１は、長手方向に延びた底面部２１１ａと、底面部２１１ａの短手方向の両端部から立ち上がる側面部２１１ｂとを備える。また、凹部２１１は、側面部２１１ｂの先端部側を開口縁部２１１ｃとする開口部２１１ｅが形成される。本実施の形態において、開口縁部２１１ｃは側面部２１１ｂの先端部を外側に折り曲げた湾曲部２１１ｄを含む領域をさす。
また、器具本体２１０は、湾曲部２１１ｄを覆うように、開口縁部２１１ｃから取付側（上方）に向かって広がるように形成された傾斜部２１１ｆを備える。
【００２５】
図３、図８に示すように、収容凹部２１１の底面部２１１ａには、端子台２４０と、２つのバネ２３０が設置される。端子台２４０は、電源端子台である。あるいは、端子台２４０は信号端子台でも構わない。バネ２３０は、光源ユニット１００が備える取付具１５０に対応する位置に配置される。また、光源ユニット１００が照明器具２００に取り付けられた状態では、光源ユニット１００が備える電源装置１４０の少なくとも一部が開口部２１１ｅから収容凹部２１１に挿入される。
【００２６】
図示はないが、端子台２４０には外部電源に接続される電源電線５００ａが接続される。また、図示はないが、端子台２４０には照明器具２００を長手方向に連結した場合に隣接する照明器具に電力や信号を送る送り電線５００ｂが接続される。よって、収容凹部２１１内には、電源電線５００ａや送り電線５００ｂ等が配設される。
また、底面部２１１ａには、電源電線５００ａを通過させる電源線挿入孔２５１、天井などの取付部３００から吊下げられている吊ボルト４００を挿入させるボルト挿入孔２５２などの各種の孔２５０が形成されている。
【００２７】
端板部２２０は、器具本体２１０の両端部を塞ぐように器具本体に固定されている。本実施の形態では、端板部２２０は、器具本体２１０の短手方向の断面形状に合わせて台形である。端板部２２０は、開口部２１１ｅ側に繋がる蓋部２２０ｂを有している。蓋部２２０ｂは、開口部２１１ｅと略同じ位置で折り曲げられ収容凹部２１１の長手方向の両端の一部を覆う。
蓋部２２０ｂは、光源ユニット１００が照明器具２００に取り付けられた状態で、収容凹部２１１における光源ユニット１００の挿入方向の位置を決定している。
【００２８】
端板部２２０には、送り電線５００ｂ（不図示）を挿通させるための配線用ノックアウト２２０ａが形成されている。また、蓋部２２０ｂは、光源ユニット１００の長さ寸法に応じて除去可能に形成された取付用ノックアウト２２０ｃを有する。
本実施の形態において、取付用ノックアウト２２０ｃは、蓋部２２０ｂの長手方向における内淵側に形成され、蓋部２２０ｂの内淵側を除く３方向、すなわち、長手方向における外淵側と短手方向における両端部が、周縁部２２０ｄに囲まれている。そして、取付用ノックアウト２２０ｃと周縁部２２０ｄとは３箇所の連結部２２０ｅで繋がっている。
【００２９】
＜＜作用効果の説明＞＞
図１０を用いて、本実施の形態に係る照明装置１０の効果について説明する。
図１０は、本実施の形態に係る１の図で、照明装置１０の効果を説明する正面図であり、図１０（ａ）は照明器具２００に長さ寸法が比較的短い光源ユニット１００が取り付てられた様子を示す図で、図１０（ｂ）は照明器具２００に長さ寸法が比較的長い光源ユニット１００が取り付てられた様子を示す図である。
【００３０】
ここで、図中の記号について、以下の通り規定する。
Ｌｃ１，Ｌｃ２：光源ユニット１００のカバー１３０の開口部２２０ｅ長さ寸法（光源ユニット１００の最長寸法）
Ｌｆ１，Ｌｆ２：光源ユニット１００のフレーム部１１０の長さ寸法
Ｌｃ１≦Ｌｃ２，Ｌｆ１≦Ｌｆ２
Ｌｆ１≦Ｌｃ１，Ｌｆ２≦Ｌｃ２
Ｌｓ１：照明器具２００の収容凹部２１１の開口部２１１ｅの長さ寸法（取付用ノックアウト２２０ｃを残した状態）
Ｌｓ２：照明器具２００の収容凹部２１１の開口部２２１ｅの長さ（取付用ノックアウト２２０ｃを除去した状態）
Ｌｓ２≧Ｌｓ１
Ｌｋ：照明器具２００の収容凹部２１１の開口部２２１ｅ最大長さ（取付用ノックアウト２２０ｃを除去した状態）
Ｌｋ＝Ｌｓ２
【００３１】
図１０（ａ）に示すように、光源ユニット１００は、取付用ノックアウト２２０ｃを残した状態の照明器具２００に取り付けが可能である。
詳しくは、光源ユニット１００が照明器具２００に取付けられた状態で収容凹部２１１に配置されるフレーム部１１０の長さ寸法Ｌｆ１は、照明器具２００の取付用ノックアウト２２０ｃを残した状態における収容凹部２１１の開口部２１１ｅの長さ寸法Ｌｓ１より短い。そして、光源ユニット１００のカバー１３０の長さ寸法Ｌｃ１は、照明器具２００の取付用ノックアウト２２０ｃを残した状態における収容凹部２１１の開口部２１１ｅの長さ寸法Ｌｓ１より長い。
【００３２】
図１０（ｂ）に示すように、光源ユニット１００ａは、取付用ノックアウト２２０ｃが除去された状態の照明器具２００ａに取り付けが可能である。
詳しくは、光源ユニット１００ａが照明器具２００ａに取付けられた状態で収容凹部２１１に配置されるフレーム部１１０ａの長さ寸法Ｌｆ２は、照明器具２００ａの取付用ノックアウト２２０ｃが除去された状態における収容凹部２１１の開口部２１１ｅの長さ寸法Ｌｓ２より短い。そして、光源ユニット１００ａのカバー１３０の長さ寸法Ｌｃ２は、照明器具２００の取付用ノックアウト２２０ｃを除去した状態における収容凹部２１１の開口部２１１ｅの長さ寸法Ｌｓ２より長い。
取付用ノックアウト２２０ｃを除去する場合は、３箇所の連結部２２０ｅを切断することによって周縁部２２０ｄから切り離すことができる。
【００３３】
このように、取付用ノックアウトを備えた照明器具を用いることによって、長さ寸法が異なる光源ユニットを取付けることができる。つまり、光源ユニットの長さ寸法に対応して照明器具を個別に設計する必要がなくなるとともに、長さ寸法が異なる光源ユニットを同じ照明器具に取り付けることができる。
【００３４】
なお、本実施の形態では、１つの蓋部に１つの取付用ノックアウトが形成される態様を例示して説明したが、これに限らず、１つの蓋部に複数の取付け用ノックアウトを長手方向に連設させた態様であってもよい。つまり、除去可能な取付用ノックアウトの寸法の種類を増やすことができるので、意匠性を損なうことなく、長さ寸法の異なるいくつかの光源ユニットに対して、１種類の照明器具できめ細かく対応できるようになる。
【符号の説明】
【００３５】
１０  照明装置、１００  光源ユニット（照明具）、１１０  フレーム部、１１１  フレーム側部、１１１ａ  フレーム係合部、１１１ｂ  立設部、１１１ｃ  部材取付孔（不図示）、１１２  平面部、１１２ａ  基板取付面部(不図示)、１１２ｂ  装置取付面部、１１３  切起し部、１２０  ＬＥＤモジュール、１２０ａ  発光素子、１２０ｂ  基板、１２１  接着面部、１３０  カバー、１３１  カバー側部、１３１１  カバー係合部、１３１２  カバー延出部、１３１３  カバー側面部、１３２  カバー前面部、１３３  カバー端部、１４０  電源装置、１５０  取付具、１５１  取付具上端部、１５２  バネ挿入孔、１５３  係合翼部、１６０  電線保持部材、１６１  ボルト止め部、１６２  クリップ部、１６３  取付片、１６３１  引掛け部、１６４  中央保持部、１６５  中央壁部、１６６  底部、１７０  第２電線クランプ、１７１  取付片部、１７２  電線保持部、１８０  第１電線クランプ、１８１  取付片部、１９０  隙間部、１９１  当接部、２００  照明器具、２１０  器具本体、２１１  収容凹部、２１１ａ  底面部、２１１ｂ  側面部、２１１ｃ  開口縁部、２１１ｄ  湾曲部、２１１ｅ  開口部、２１１ｆ  傾斜部、２１１ｇ  上面部、２２０  端板部、２２０ａ  配線用ノックアウト、２２０ｂ  蓋部、２２０ｃ  取付用ノックアウト、２２０ｄ  周縁部、２２０ｅ  連結部、２３０  バネ、２４０  端子台、２５０  孔、２５１  電源線挿入孔、２５２  ボルト挿入孔、２６０  ユニット端部、３００  造営部（器具取付部）、３０１  ボルト孔（不図示）、４００  吊ボルト（不図示）、４０１  先端部（不図示）、５００  電線、５００ａ  電源電線、５００ｂ  送り電線、５００ｃ  第１電線、５００ｄ  器具電線、５００ｅ  第２電線、５０１,５０２  コネクタ、９００  ネジ。
【図１】
2017183159.tif 000003
【図２】
2017183159.tif 000004
【図３】
2017183159.tif 000005
【図４】
2017183159.tif 000006
【図５】
2017183159.tif 000007
【図６】
2017183159.tif 000008
【図７】
2017183159.tif 000009
【図８】
2017183159.tif 000010
【図９】
2017183159.tif 000011
【図１０】
2017183159.tif 000012